(57)【要約】  本実施形態では、第一方向に並ぶ複数の蓄電素子と、前記複数の蓄電素子に沿って前記第一方向に延び、且つ、該第一方向と直交する第二方向に互いに間隔をあけて配置される一対のインシュレータと、を備え、複数の蓄電素子は、それぞれ、第一方向及び第二方向と直交する第三方向に向いた外面を有し、一対のインシュレータは、それぞれ、外面上の位置から第一方向及び第三方向に延び、且つ、蓄電装置が設置される対向面と、外面との間の空間を形成する、空間形成部を有する、ことを特徴とする。
2019245028.tif 000002
【特許請求の範囲】
【請求項１】
蓄電装置であって、
第一方向に並ぶ複数の蓄電素子と、
前記複数の蓄電素子に沿って前記第一方向に延び、且つ、該第一方向と直交する第二方向に互いに間隔をあけて配置される一対のインシュレータと、
を備え、
前記複数の蓄電素子は、それぞれ、前記第一方向及び前記第二方向と直交する第三方向に向いた外面を有し、
前記一対のインシュレータは、それぞれ、前記外面上の位置から前記第一方向及び前記第三方向に延び、且つ、前記蓄電装置が設置される対向面と、前記外面との間の空間を形成する、空間形成部を有する、蓄電装置。
【請求項２】
前記隣り合う蓄電素子の間には、前記第三方向において前記外面を見たとき該外面間に開口すると共に温度調整用の流体が流通可能な流路が形成されている、請求項１記載の蓄電装置。
【請求項３】
前記複数の蓄電素子のうち最も端に位置する蓄電素子の外側で該蓄電素子と前記第一方向に並ぶ隣接部材、
を備え、
前記一対の空間形成部の一方は、前記第一方向において前記隣接部材に近い端部から、前記一対の空間形成部の他方に向けて突出し且つ前記第三方向に沿って延びるシールリブを有し、
前記隣接部材は、前記第二方向における前記一対の空間形成部の間において、前記最も端に位置する蓄電素子から離れるように前記第一方向に延びると共に前記流体を供給可能な流体用供給部材に接続可能な接続部を有し、
前記接続部は、前記空間形成部と対向する外面における前記シールリブと前記第二方向において対向する位置において、前記第三方向に延びるシールリブ対向面を有し、
前記シールリブは、前記シールリブ対向面に当接している、請求項２記載の蓄電装置。
【請求項４】
前記シールリブは、弾性変形により延出端が前記第一方向における一方側又は他方側のいずれかに変位するように湾曲した状態で前記シールリブ対向面に当接している、請求項３記載の蓄電装置。
【請求項５】
蓄電装置であって、
第一方向に並ぶ複数の蓄電素子と、
前記複数の蓄電素子に沿って前記第一方向に延び、且つ、該第一方向と直交する第二方向に互いに間隔をあけて配置される一対のインシュレータと、
を備え、
前記複数の蓄電素子は、それぞれ、前記第一方向及び前記第二方向と直交する第三方向に向いた外面を有し、
前記一対のインシュレータは、
前記複数の蓄電素子に沿って前記第一方向に延びるインシュレータ本体部と、
前記蓄電装置が設置される対向面に向けて、前記インシュレータ本体部から前記第三方向に延びる延出部と、を有し、
前記外面と前記一対のインシュレータの前記延出部と前記対向面とによって囲まれた空間が前記第一方向に延びる、ことを特徴とする蓄電装置。
【発明の詳細な説明】
【技術分野】
【０００１】
本発明は、複数の蓄電素子を備え、各蓄電素子の間に温度調整用の流体が供給される蓄電装置に関する。
【背景技術】
【０００２】
従来、隣接する電池セルの間にスペーサが配置されたバッテリシステムが知られている（例えば、特許文献１参照）。具体的に、このバッテリシステムは、図１１に示すように、積層された複数の電池セル１０２と、隣り合う電池セル１０２の間に配置されたスペーサ１０３と、を備える。スペーサ１０３は、電池セル１０２と対向する対向面に、電池セル１０２の積層方向と直交する方向における両側端まで延びる溝１１０を複数設けることで、電池セル１０２との間に空気などの冷却気体を通過させる冷却隙間１２０を形成している。複数の溝１１０は、互いに平行に所定の間隔をあけた状態で設けられている。【０００３】
ところで、隣り合う電池セル１０２の間に形成された各冷却隙間（流路）１２０に温度調整用の流体を流通させるため、バッテリシステム（蓄電装置）が、流体を供給する流体用供給部材に当接する場合には、バッテリシステムそれぞれの構造（例えば、電池セル１０２の積層方向におけるバッテリシステムの寸法）に対応した専用の流体用供給部材が必要であった。
【先行技術文献】
【特許文献】
【０００４】
【特許文献１】特開２００９−１７０２５８号公報
【発明の概要】
【発明が解決しようとする課題】
【０００５】
そこで、本実施形態では、温度調整用の流体を流通させる場合に、専用の流体用供給部材を用いなくても、流体を供給する案内流路を構成することが可能な蓄電装置を提供することを目的とする。
【課題を解決するための手段】
【０００６】
本実施形態の蓄電装置は、
第一方向に並ぶ複数の蓄電素子と、
前記複数の蓄電素子に沿って前記第一方向に延び、且つ、該第一方向と直交する第二方向に互いに間隔をあけて配置される一対のインシュレータと、
を備え、
前記複数の蓄電素子は、それぞれ、前記第一方向及び前記第二方向と直交する第三方向に向いた外面を有し、
前記一対のインシュレータは、それぞれ、前記外面上の位置から前記第一方向及び前記第三方向に延び、且つ、前記蓄電装置が設置される対向面と、前記外面との間の空間を形成する、空間形成部を有する。
【図面の簡単な説明】
【０００７】
【図１】図１は、本実施形態に係る蓄電装置の斜視図である。
【図２】図２は、前記蓄電装置の分解斜視図である。
【図３】図３は、前記蓄電装置が設置面に配置された状態を説明するための側面図である。
【図４】図４は、前記蓄電装置におけるＸ軸方向の一方側に配置された隣接部材のＸ軸方向における一方側の構成を説明するための斜視図である。
【図５】図５は、前記蓄電装置におけるＸ軸方向の他方側に配置された隣接部材のＸ軸方向における他方側の構成を説明するための斜視図である。
【図６】図６は、図３のＶＩ−ＶＩ位置における断面図である。
【図７】図７は、図３のＶＩＩ−ＶＩＩ位置における断面図である。
【図８】図８は、前記蓄電装置をＸ軸方向における一方側から見たときの正面図である。
【図９】図９は、図８のＩＸ−ＩＸ位置における断面図である。
【図１０】図１０は、図９の領域Ｘにおける拡大図である。
【図１１】図１１は、従来の蓄電装置を説明するための斜視図である。
【発明を実施するための形態】
【０００８】
本実施形態の蓄電装置は、
第一方向に並ぶ複数の蓄電素子と、
前記複数の蓄電素子に沿って前記第一方向に延び、且つ、該第一方向と直交する第二方向に互いに間隔をあけて配置される一対のインシュレータと、
を備え、
前記複数の蓄電素子は、それぞれ、前記第一方向及び前記第二方向と直交する第三方向に向いた外面を有し、
前記一対のインシュレータは、それぞれ、前記外面上の位置から前記第一方向及び前記第三方向に延び、且つ、前記蓄電装置が設置される対向面と、前記外面との間の空間を形成する、空間形成部を有する。
【０００９】
かかる構成によれば、一対のインシュレータの空間形成部が、複数の蓄電素子の外面と対向面との間の空間を区切ることで、流体を供給する案内流路を構成しているため、専用の流体用供給部材を用いなくても、この案内流路を用いることで、流体を供給することができる。
【００１０】
前記蓄電装置では、
前記隣り合う蓄電素子の間には、前記第三方向において前記外面を見たとき該外面間に開口すると共に温度調整用の流体が流通可能な流路が形成されていてもよい。
【００１１】
かかる構成によれば、案内流路に供給される温度調整用の流体を蓄電素子の間に形成された各流路に供給することができる。
【００１２】
前記蓄電装置では、
前記複数の蓄電素子のうち最も端に位置する蓄電素子の外側で該蓄電素子と前記第一方向に並ぶ隣接部材、
を備え、
前記一対の空間形成部の一方は、前記第一方向において前記隣接部材に近い端部から、前記一対の空間形成部の他方に向けて突出し且つ前記第三方向に沿って延びるシールリブを有し、
前記隣接部材は、前記第二方向における前記一対の空間形成部の間において、前記最も端に位置する蓄電素子から離れるように前記第一方向に延びると共に前記流体を供給可能な流体用供給部材に接続可能な接続部を有し、
前記接続部は、前記空間形成部と対向する外面における前記シールリブと前記第二方向において対向する位置において、前記第三方向に延びるシールリブ対向面を有し、
前記シールリブは、前記シールリブ対向面に当接してもよい。
【００１３】
かかる構成によれば、流体用供給部材から、空間形成部を流体用供給部材に当接させてシールリブがシールリブ対向面に当接することで形成された案内流路に、流体が供給されたときに、空間形成部と接続部との間からの流体の漏れが抑えられる。
【００１４】
前記蓄電装置では、
前記シールリブは、弾性変形により延出端が前記第一方向における一方側又は他方側のいずれかに変位するように湾曲した状態で前記シールリブ対向面に当接していてもよい。
【００１５】
かかる構成によれば、シールリブは、弾性変形により延出端が前記第一方向における一方側又は他方側のいずれかに変位するように湾曲した状態でシールリブ対向面に密着しているため、前記第一方向や第二方向において隣接部材やインシュレータに製造誤差や組み立て誤差が生じても、この誤差を吸収することができる、即ち、案内流路の入口における密閉性を確保できる。
【００１６】
本実施形態の蓄電装置は、
第一方向に並ぶ複数の蓄電素子と、
前記複数の蓄電素子に沿って前記第一方向に延び、且つ、該第一方向と直交する第二方向に互いに間隔をあけて配置される一対のインシュレータと、
を備え、
前記複数の蓄電素子は、それぞれ、前記第一方向及び前記第二方向と直交する第三方向に向いた外面を有し、
前記一対のインシュレータは、
前記複数の蓄電素子に沿って前記第一方向に延びるインシュレータ本体部と、
前記蓄電装置が設置される対向面に向けて、前記本体部から前記第三方向に延びる延出部と、を有し、
前記外面と前記一対のインシュレータの前記延出部と前記対向面とによって囲まれた空間が前記第一方向に延びる。
【００１７】
かかる構成によれば、一対のインシュレータの延出部が、複数の蓄電素子の外面と対向面との間の空間を区切ることで、流体を供給する案内流路を構成しているため、専用の流体用供給部材を用いなくても、この案内流路を用いることで、流体を供給することができる。
【００１８】
以上より、本実施形態によれば、蓄電素子の間に形成された各流路に温度調整用の流体を流通させる場合に、専用の流体用供給部材を用いなくても、各流路に流体を供給する案内流路を構成することが可能な蓄電装置を提供することができる。
【００１９】
以下、本発明の一実施形態について、図１〜図１０を参照しつつ説明する。尚、本実施形態の各構成部材（各構成要素）の名称は、本実施形態におけるものであり、背景技術における各構成部材（各構成要素）の名称と異なる場合がある。
【００２０】
蓄電装置は、図１及び図２に示すように、所定方向に並ぶ複数の蓄電素子２と、複数の蓄電素子２に沿った状態で所定方向に延びる一対のインシュレータ５と、を備える。本実施形態の蓄電装置１は、蓄電素子２と隣り合う隣接部材３と、複数の蓄電素子２を保持する保持部材４と、異なる蓄電素子２同士を導通可能に接続するバスバ６と、複数の蓄電素子２の入出力を行う外部入出力用端子４９と、を備える。
【００２１】
複数の蓄電素子２のそれぞれは、一次電池、二次電池、キャパシタ等である。本実施形態の蓄電素子２は、充放電可能な非水電解質二次電池である。より具体的には、蓄電素子２は、リチウムイオンの移動に伴って生じる電子移動を利用したリチウムイオン二次電池である。この蓄電素子２は、いわゆる角型のリチウムイオン二次電池である。
【００２２】
複数の蓄電素子２のそれぞれは、電極体と、電極体を電解液と共に収容するケース２１と、少なくとも一部がケース２１の外側に露出する外部端子２２と、を有する（図２参照）。
【００２３】
ケース２１は、開口を有するケース本体２１１と、ケース本体２１１の開口を塞ぐ（閉じる）板状の蓋板２１６と、を有する。本実施形態のケース本体２１１は、有底角筒状であり、ケース２１は、扁平な直方体形状である。ケース本体２１１は、矩形板状の閉塞部２１２と、閉塞部２１２の周縁に接続される筒状の胴部（周壁）２１３と、を備える。胴部２１３は、偏平な角筒形状を有する。この胴部２１３は、閉塞部２１２の周縁における長辺から延びる一対の長壁部２１４と、閉塞部２１２の周縁における短辺から延びる一対の短壁部２１５とを有する。短壁部２１５が一対の長壁部２１４の対応する端部同士をそれぞれ接続することによって、扁平な角筒状の胴部２１３が形成される。蓋板２１６は、ケース本体２１１の開口を塞ぐ矩形板状の部材である。この蓋板２１６には、一対の外部端子２２が間隔をあけて配置されている。
【００２４】
本実施形態の蓄電装置１では、複数の蓄電素子２は、ケース２１（ケース本体２１１）の長壁部２１４同士を互いに対向させた状態で並んでいる。
【００２５】
以下では、複数の蓄電素子２が並ぶ所定方向（第一方向）を直交座標系のＸ軸とし、ケース本体２１１の短壁部２１５が対向する方向（第二方向）を直交座標系のＹ軸とし、閉塞部２１２の外面の向く方向（第三方向）を直交座標系のＺ軸とする。
【００２６】
また、本実施形態の蓄電装置１は、図３、図６、及び、図７に示すように、設置面Ｓ１に設置される。本実施形態の設置面Ｓ１は、蓄電装置１が設置されたときに（設置状態のときに）、複数の蓄電素子２の外面（例えば、閉塞部２１２の外面）が間隔をあけた状態で対向する対向領域（対向面）Ｓ２と、蓄電装置１のＸ軸方向における両端が固定される設置領域Ｓ３と、を含む。本実施形態の設置面Ｓ１は、水平面である。
【００２７】
隣接部材３は、Ｘ軸方向に隣り合う二つの蓄電素子２の間（例えば、各蓄電素子２の間のそれぞれ）、又は、Ｘ軸方向の最も端の蓄電素子２と該蓄電素子２に対してＸ軸方向に並ぶ部材（本実施形態の例では、保持部材４の一部）との間に配置される（図２参照）。この隣接部材３は、樹脂等の絶縁性を有する部材によって構成される。また、隣接部材３は、隣接する蓄電素子２との間に該蓄電素子２の温度調整用の流体が流通可能な流路３５を複数形成する（図７参照）。本実施形態の複数の流路３５のうちの少なくとも一つの流路３５は、Ｚ軸方向における隣接部材３の他方側の端部位置（蓄電素子２の閉塞部２１２と対応する位置）に形成される開口（入口）３５ａから、Ｙ軸方向における隣接部材３の一方側及び他方側の端部位置（蓄電素子２の各短壁部２１５と対応する位置）に形成される開口（出口）３５ｂまで延びている。この流路３５は、長手方向の途中位置において曲がっている。また、この開口３５ａは、蓄電素子２の閉塞部２１２の外面を外側（Ｚ軸方向における他方側）から見たとき、Ｘ軸方向に並ぶ閉塞部２１２の外面間において開口している。
【００２８】
図４は、最も端に位置する蓄電素子２の外側で該蓄電素子２とＸ軸方向において並ぶ隣接部材３のうちＸ軸方向における一方側（図２における右側）に位置する隣接部材３を示している。また、同図は、この隣接部材３のＸ軸方向における一方側の構成（該蓄電素子２と対向する側とＸ軸方向において反対側の構成）を示している。隣接部材３は、蓄電素子２と保持部材４との間に位置する板状の本体部３２１と、本体部３２１からＺ軸方向における外側の位置に延びる枠状の接続部３２３、及び、接続部３２３内に配置された補強部３２４等を有する。
【００２９】
本体部３２１は、蓄電素子２のケース２１における長壁部２１４とＸ軸方向から見て重なる部位であり、Ｙ−Ｚ面（Ｙ軸とＺ軸とを含む面）方向に広がる。
【００３０】
接続部３２３は、流体を供給可能な流体用供給部材（例えば、ダクト）に接続可能な部位である。本実施形態の接続部３２３は、本体部３２１のＺ軸方向における他方側に位置する端縁３２１３からＺ軸方向における外側（他方側）まで延びると共に、Ｘ軸方向における外側（Ｘ軸方向における一方側、Ｘ軸方向において最も端に位置する蓄電素子２と反対側）にも延びている。この接続部３２３は、本体部３２１の端縁３２１３からＸ軸方向に延びると共にＸ−Ｙ面（Ｘ軸とＹ軸とを含む面）方向に広がる板状の第一部位３２３１と、第一部位３２３１のＹ軸方向における両側に位置する端縁とそれぞれと連続し且つＸ−Ｚ面（Ｘ軸とＺ軸とを含む面）方向にそれぞれ広がる板状の一対の第二部位３２３２と、一対の第二部位３２３２のＺ軸方向における端縁を接続し且つＹ軸方向に延びる第三部位３２３３と、を有する。第一部位３２３１のＸ軸方向における寸法及び第二部位３２３２のＸ軸方向における寸法は、いずれも、第三部位３２３３のＸ軸方向における寸法より長い。本実施形態の接続部３２３には、第一部位３２３１と一対の第二部位３２３２と第三部位３２３３とで区画される枠に、流体用供給部材が当接されることで、流体用供給部材が接続される。
【００３１】
本実施形態の一対の第二部位３２３２は、第一部位３２３１に連続し且つＸ−Ｚ面方向に広がる平板領域３２３２ａと、平板領域３２３２ａからＹ軸方向における外側まで延びる延設領域３２３２ｂと、を有する。延設領域３２３２ｂは、図９に示すように、平板領域３２３２ａのＸ軸方向における内側（Ｘ軸方向における本体部３２１と対向する蓄電素子２側、Ｘ軸方向における他方側）に位置する端部に配置されている。延設領域３２３２ｂのＹ軸方向における外側に位置する外面３２３２ｃは、Ｘ軸方向に対して傾斜した傾斜面（シールリブ対向面）であり、例えば、Ｘ軸方向における外側に位置する部位ほどＹ軸方向における内側に位置する傾斜面である。
【００３２】
補強部３２４は、Ｙ軸方向に沿って延びる第一部位３２４１と、Ｚ軸方向に沿って延びる第二部位３２４２と、を有する（図４、図６〜図８参照）。第一部位３２４１は、一対の第二部位３２３２のＸ軸方向における内側（他方側）の端縁のＺ軸方向における略中央位置同士を接続する。第二部位３２４２は、本体部３２１の端縁３２１３のＹ軸方向における略中央位置と、第三部位３２３３のＸ軸方向における内側（他方側）の端縁のＹ軸方向における略中央位置とを接続する。
【００３３】
図５は、最も端に位置する蓄電素子２の外側で該蓄電素子２とＸ軸方向において並ぶ隣接部材３のうちＸ軸方向における他方側（図２における左側）に位置する隣接部材３を示している。また、同図は、この隣接部材３のＸ軸方向における他方側の構成（該蓄電素子２と対向する側とＸ軸方向において反対側の構成）を示している。隣接部材３は、蓄電素子２と保持部材４との間に位置する板状の本体部３２１と、本体部３２１からＺ軸方向における外側の位置に延びる隔壁部３２５等を有する。
【００３４】
隔壁部３２５は、流体用供給部材から供給される流体を密閉する部位である。本実施形態の隔壁部３２５は、本体部３２１のＺ軸方向における他方側に位置する端縁３２１３からＺ軸方向における外側（他方側）まで延びている。この隔壁部３２５は、接続部３２３にＸ軸方向から見て重なる部位であり、Ｙ−Ｚ面（Ｙ軸とＺ軸とを含む面）方向に広がる。
【００３５】
保持部材４は、複数の蓄電素子２と複数の隣接部材３との周囲を囲むことにより、これら複数の蓄電素子２及び複数の隣接部材３をひとまとめに保持する（図１参照）。この保持部材４は、金属等の導電性を有する部材によって構成されている。具体的に、保持部材４は、Ｘ軸方向において複数の蓄電素子２の両側に配置される一対の終端部材４０と、終端部材４０におけるＹ軸方向の端部同士を接続する接続部材４３と、を有する。また、保持部材４は、終端部材４０と接続部材４３とを固定（連結）する固定部材４５を有する。本実施形態の蓄電装置１では、一対の接続部材４３が、一対の終端部材４０におけるＹ軸方向の両方の端部同士を接続している。
【００３６】
一対の終端部材４０のそれぞれは、Ｘ軸方向の端に配置された蓄電素子２との間に隣接部材３を挟み込むように配置される。これら一対の終端部材４０のそれぞれは、Ｙ−Ｚ面に沿って広がり且つＸ軸方向から見て蓄電素子２と重なる部位である終端部材本体４１と、終端部材本体４１から延びる延設部４２と、を有する。
【００３７】
終端部材本体４１は、蓄電素子２と対応した矩形状の部位である。この延設部４２は、蓄電装置１を設置面に固定するのに用いられる。本実施形態の終端部材４０は、Ｙ軸方向に間隔をあけて配置される二つの延設部４２を有する。二つの延設部４２において、蓄電装置１は、設置面Ｓ１の設置領域Ｓ３に固定される（図３参照）。
【００３８】
一対の接続部材４３は、Ｙ軸方向において複数の蓄電素子２の両側に配置される（図２参照）。これら一対の接続部材４３のそれぞれは、複数の蓄電素子２のそれぞれの短壁部２１５に沿ってＸ軸方向に延びる接続部材本体４４と、接続部材本体４４のＺ軸方向の他方側の端部からＹ軸方向に延び且つ複数の蓄電素子２のそれぞれの閉塞部２１２に沿って延びる第一延設部４６と、第一延設部４６からＺ軸方向の他方側の位置に延びる第二延設部４７と、を有する。また、一対の接続部材４３のそれぞれは、接続部材本体４４のＸ軸方向の各端部から終端部材４０におけるＸ軸方向の外側を向いた面に沿ってＹ軸方向に延びる被連結部４８を有する。
【００３９】
第二延設部４７は、第一延設部４６のＸ軸方向における少なくとも一部から、Ｚ軸方向に沿って延びる（図２参照）。尚、第二延設部４７がＺ軸方向に沿って延びるとは、第二延設部４７の延出方向がＺ軸方向成分を含んでいることをいう。本実施形態の第二延設部４７は、第一延設部４６のＸ軸方向における全域から、Ｚ軸方向における他方側の位置に延びている。また、本実施形態の第二延設部４７は、第一延設部４６に連続し且つＺ軸方向に対して傾斜した状態でＺ軸方向に沿って延びる傾斜部位４７０と、傾斜部位４７０に連続し且つＺ軸方向に対して平行に延びる平行部位４７１と、を含む（図６、図７参照）。本実施形態の傾斜部位４７０は、Ｚ軸方向における他方側に位置する部位ほどＹ軸方向における内側に位置するよう傾斜している。また、傾斜部位４７０は平板状である。本実施形態の平行部位４７１のＺ軸方向における先端は、終端部材４０の延設部４２の先端（Ｚ軸方向における他方側に位置する先端）よりＺ軸方向において内側（一方側）に位置している。
【００４０】
インシュレータ５は、絶縁性を有し、接続部材４３と複数の蓄電素子２との間に配置される（図２参照）。また、インシュレータ５は、Ｙ軸方向において間隔をあけた状態で、複数の蓄電素子２の両側に一対配置される。これら一対のインシュレータ５のそれぞれは、複数の蓄電素子２に沿って配置される。さらに、一対のインシュレータ５のそれぞれは、接続部材４３における少なくとも複数の蓄電素子２と対向する領域を覆う。具体的に、各インシュレータ５は、接続部材本体４４における各蓄電素子２を向いた面を覆う本体被覆部５０と、本体被覆部５０から複数の蓄電素子２のそれぞれの閉塞部２１２に沿って延びる第一被覆部５１と、第一被覆部５１からＺ軸方向に沿って延びる第二被覆部５２と、を有する。
【００４１】
第一被覆部５１は、接続部材本体４４における各蓄電素子２を向いた面を覆う部位である。具体的に、第一被覆部５１は、第一延設部４６における各蓄電素子２を向いた面を覆う部位である。また、第一被覆部５１は、本体被覆部５０のＺ軸方向における端部と連続すると共に、Ｙ軸方向に沿って延びている。（図２、図６、図７参照）。本実施形態の第一被覆部５１は、本体被覆部５０のＺ軸方向の他方側の端部のＸ軸方向における全域から延びている（図２参照）。また、本実施形態の第一被覆部５１は、蓄電素子２の閉塞部２１２のうちＹ軸方向における外側に位置する端部を被覆する。尚、本実施形態の蓄電装置１では、第一被覆部５１が、Ｙ軸方向において一対のインシュレータ５にそれぞれ設けられるため、一対の第一被覆部５１は、蓄電素子２の閉塞部２１２のうちＹ軸方向における両端部を被覆する。
【００４２】
第二被覆部５２は、第二延設部４７におけるＺ軸方向の内側を向いた面を覆う部位である。また、第二被覆部５２は、複数の蓄電素子２の閉塞部２１２の外面に沿った位置であって、Ｚ軸方向において開口３５ａを挟む位置からＺ軸方向に沿って延び、且つ、設置状態のときに対向領域Ｓ２と閉塞部２１２の外面との間の空間（Ｘ軸方向において各流路３５に流体を案内する案内流路３８）を区切る空間形成部である。
【００４３】
具体的に、第二被覆部５２は、第一被覆部５１のＹ軸方向における端部と連続すると共に、Ｚ軸方向に沿って延びる。本実施形態の第二被覆部５２は、第一被覆部５１のＸ軸方向における全域から、Ｚ軸方向における他方側まで延びている（図２参照）。また、本実施形態の第二被覆部５２は、終端部材４０の延設部４２の先端（Ｚ軸方向における他方側に位置する先端）よりもＺ軸方向における一方側の位置まで延びている（図６、図７参照）。さらに、本実施形態の第二被覆部５２は、第一被覆部５１に連続し且つＺ軸方向に対して傾斜した状態でＺ軸方向に沿って延びる傾斜部位５２０と、傾斜部位５２０に連続し且つＺ軸方向に対して平行に延びる平行部位５２１と、平行部位５２１に連続し且つＹ軸方向における両側に延びる先端部位５２２と、を有する。尚、一対の第二被覆部５２の間には、接続部３２３が配置されている。
【００４４】
傾斜部位５２０は、第二延設部４７の傾斜部位４７０のＺ軸方向における一方側を向いた面を被覆している。本実施形態の傾斜部位５２０は、Ｚ軸方向における他方側に位置する部位ほどＹ軸方向における内側に位置するよう傾斜している。尚、傾斜部位５２０は平板状である。
【００４５】
平行部位５２１は、第二延設部４７の平行部位４７１のＹ軸方向における内側の面を被覆している。また、平行部位５２１は、隣接部材３（Ｘ軸方向における最も端に位置する蓄電素子２の外側で該蓄電素子２と並ぶ隣接部材３）側に位置する端部５２１０から、該平行部位５２１とＹ軸方向において対向する平行部位５２１に向けて突出するシールリブ５２１１を有する（図９、図１０参照）。
【００４６】
シールリブ５２１１は、Ｚ軸方向に沿って延びる。また、シールリブ５２１１は、傾斜面３２３２ｃに当接している。具体的に、シールリブ５２１１は、Ｙ軸方向における内側に延びる延出端５２１２を有すると共に、弾性変形により延出端５２１２がＸ軸方向における他方側に変位するように湾曲した状態で、傾斜面３２３２ｃに当接する。尚、傾斜面３２３２ｃは、第二被覆部５２と対向する外面におけるシールリブ５２１１とＹ軸方向において対向する位置において、Ｚ軸方向に沿って延びる対向面（シールリブ対向面）である。
【００４７】
先端部位５２２は、平行部位５２１のＺ軸方向における外側（他方側）の端縁から延びている。また、先端部位５２２は、第二延設部４７の平行部位４７１の先端面（例えば、Ｚ軸方向における他方側を向いた面）を被覆している。さらに、先端部位５２２の延出側の端面（先端面）は平坦な面である。本実施形態の先端部位５２２は、蓄電素子２の閉塞部２１２が対向領域Ｓ２から離れると共に蓄電装置１のＸ軸方向における両端（一対の終端部材４０）が設置領域Ｓ３に固定された状態において、対向領域Ｓ２に当接している（図３、図６、図７参照）。
【００４８】
尚、本実施形態の先端部位５２２は、対向領域Ｓ２に対して間接に当接している。具体的には、シール部材８を介して対向領域Ｓ２に対して間接に当接している。シール部材８の材質は、例えば、インシュレータ５の材質よりも柔らかい。
【００４９】
バスバ６は、金属等の導電性を有する板状の部材である。バスバ６は、蓄電素子２の外部端子２２同士、又は、蓄電素子２の外部端子２２と外部入出力用端子４９とを導通させる。バスバ６は、蓄電装置１において複数（複数の蓄電素子２の数及び外部入出力用端子４９の数と対応する数）設けられる。本実施形態の複数のバスバ６は、蓄電装置１に含まれる複数の蓄電素子２の全てを直列に接続する（導通させる）。
【００５０】
以上の蓄電装置１によれば、一対のインシュレータ５の第二被覆部（空間形成部）５２が、複数の蓄電素子２の閉塞部２１２の外面と対向領域Ｓ２との間の空間を区切ることで、各流路３５に流体を供給する案内流路３８を構成しているため、専用の流体用供給部材を用いなくても、この案内流路３８を用いることで、各流路３５に流体を供給することができる。
【００５１】
本実施形態の蓄電装置１では、第二被覆部（空間形成部）５２を流体用供給部材に当接させて、シールリブ５２１１をシールリブ対向面３２３２ｃに当接させて形成された案内流路３８に、流体用供給部材から流体が供給されたときに、第二被覆部（空間形成部）５２と接続部３２３との間からの流体の漏れが抑えられる。
【００５２】
しかも、シールリブ５２１１は、弾性変形により延出端５２１２がＸ軸方向における一方側又は他方側のいずれかに変位するように湾曲した状態でシールリブ対向面（傾斜面）３２３２ｃに密着しているため、Ｘ軸方向やＹ軸方向において隣接部材３やインシュレータ５に製造誤差や組み立て誤差が生じても、この誤差を吸収することができる、即ち、案内流路３８の入口における密閉性を確保できる。また、本実施形態の蓄電装置１では、シールリブ対向面３２３２ｃが傾斜面であるため、仮にシールリブ５２１１が十分に湾曲しなくても、Ｘ軸方向におけるシールリブ対向面３２３２ｃのシールリブ５２１１に対する相対位置が変化することで（Ｘ軸方向において、隣接部材３の接続部３２３の位置が、インシュレータ５の位置に対して変化することで）、シールリブ５２１１がシールリブ対向面３２３２ｃに当接しやすいため、このような誤差を吸収することができる。
【００５３】
また、本実施形態の蓄電装置１では、接続部３２３の一対の第二部位３２３２の間に補強部３２４（第一部位３２４１）が延びているため、インシュレータ５のシールリブ５２１１から一対の第二部位３２３２にＹ軸方向における内側に向かう力がかかったとしても、この力を補強部３２４が受けることにより、接続部３２３（一対の第二部位３２３２）の変形を抑えられる。これにより、流体用供給部材から案内流路３８に供給された流体の接続部３２３と第二被覆部（空間形成部）５２との間からの漏れが確実に抑えられる。
【００５４】
さらに、本実施形態の蓄電装置１では、インシュレータ５（例えば、先端部位５２２）がシール部材８を介して対向領域Ｓ２に間接に当接すると共に、シール部材８の材質がインシュレータ５の材質よりも柔らかいことで、対向領域Ｓ２の表面が凹凸形状を有していたり、インシュレータ５の対向領域Ｓ２に間接に当接する部位（例えば、先端部位５２２）の表面が凹凸形状を有していたり、インシュレータ５の対向領域Ｓ２に間接に当接する部位（例えば、先端部位５２２）の表面が対向領域Ｓ２の表面に対して傾斜したりしていても、インシュレータ５が確実に対向領域Ｓ２に密接する。
【００５５】
尚、本発明の蓄電装置は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００５６】
例えば、シールリブ５２１１は、延出端５２１２が弾性変形によりＸ軸方向における一方側に変位するように湾曲した状態で、シールリブ対向面３２３２ｃに当接していてもよく、この場合、シールリブ対向面３２３２ｃは、Ｘ軸方向における外側に位置する部位ほどＹ軸方向における外側に位置するよう傾斜していてもよい。また、シールリブ５２１１は、弾性変形しなくてもよく、例えば、第二被覆部５２（空間形成部）の平行部位５２１の端部５２１０から、一対の第二被覆部５２のうち対向する第二被覆部５２に向けてＹ軸方向に沿って突出する形状（例えば、Ｙ軸方向における内側に向かいＹ軸方向に沿って突出する平板状）であってもよい。この場合においても、シールリブ対向面３２３２ｃが傾斜面であれば、シールリブ５２１１がシールリブ対向面３２３２ｃに当接しやすいため、隣接部材３やインシュレータ５に製造誤差や組み立て誤差を吸収することができる。
【００５７】
接続部３２３のシールリブ５２１１と対向するシールリブ対向面３２３２ｃは、傾斜面に限らず、平坦な面や湾曲面でもよい。例えば、シールリブ対向面３２３２ｃが平坦な面であっても、延出端５２１２が弾性変形によりＸ軸方向における一方側又は他方側のいずれかに変位するように湾曲した状態で、シールリブ５２１１はシールリブ対向面３２３２ｃに当接していてもよい。このような場合においても、シールリブ５２１１がシールリブ対向面３２３２ｃに密着しているため、Ｘ軸方向やＹ軸方向において隣接部材３やインシュレータ５に製造誤差や組み立て誤差が生じても、この誤差を吸収することができる。
【００５８】
一対の第二被覆部（空間形成部）５２は、シールリブ５２１１とは異なる形状を有すると共に、接続部３２３のシールリブ対向面３２３２ｃに当接する当接部を含んでもよい。
【００５９】
接続部３２３の形状は、上記実施形態の形状に限らず、流体用供給部材に接続可能な形状であればよい。
【００６０】
蓄電装置１に含まれる蓄電素子２の数は複数に限らず、一つであってもよい。換言すると、蓄電装置１に含まれる蓄電素子２の数は少なくとも一つであればよい。
【符号の説明】
【００６１】
１…蓄電装置、２…蓄電素子、２１…ケース、２２…外部端子、２１１…ケース本体、２１２……閉塞部、２１３…胴部、２１４…長壁部、２１５…短壁部、２１６…蓋板、３…隣接部材、３１５…ボルト、３２１…本体部、３２１３…端縁、３２３…接続部、３２３１…第一部位、３２３２…第二部位、３２３２ａ…平板領域、３２３２ｂ…延設領域、３２３２ｃ…傾斜面（シールリブ対向面、外面）、３２３３…第三部位、３２４…補強部、３２４１…第一部位、３２４２…第二部位、３２５…隔壁部、３５…流路、３５ａ…入口（開口）、３５ｂ…出口（開口）、３８…案内流路、４…保持部材、４０…終端部材、４１…終端部材本体、４２…延設部、４３…接続部材、４４…接続部材本体、４４１…梁部、４４２…端部接続部、４４３…中間接続部、４５…固定部材、４６…第一延設部、４７…第二延設部、４７０…傾斜部位、４７１…平行部位、４８…被連結部、４９…外部入出力用端子、５…インシュレータ、５０…本体被覆部（インシュレータ本体部）、５１…第一被覆部、５２…第二被覆部（空間形成部、案内流路構成部）、５２０…傾斜部位、５２１…平行部位、５２１０…端部、５２１１…シールリブ、５２１２…延出端、５２２…先端部位、５３…梁部被覆部、５４…端部被覆部、５５…中間被覆部、６…バスバ、８…シール部材、１０２…電池セル、１０３…スペーサ、１１０…溝、１２０…冷却隙間（流路）、Ｓ１…設置面、Ｓ２…対向領域（対向面）、Ｓ３…設置領域
【図１】
2019245028.tif 000003
【図２】
2019245028.tif 000004
【図３】
2019245028.tif 000005
【図４】
2019245028.tif 000006
【図５】
2019245028.tif 000007
【図６】
2019245028.tif 000008
【図７】
2019245028.tif 000009
【図８】
2019245028.tif 000010
【図９】
2019245028.tif 000011
【図１０】
2019245028.tif 000012
【図１１】
2019245028.tif 000013
【国際調査報告】
2019245028.tif 000014
2019245028.tif 000015